(57)【要約】      （修正有）【課題】腰痛の改善効果等に優れた腰部サポータを提供する。【解決手段】本体ベルト２と、この本体ベルトの上面に設けられ、本体ベルトへの締めつけ具合を調整する補助ベルトからなる腰部サポータ１である。本体ベルトは、この本体ベルトの中央部付近に、縦方向に延びる第１ボーン２５、２６を有し、第１ボーンの外側左右に縦方向に延びる第２ボーン２７、２８を有する。これら２種類のボーンの長さの関係は、第２ボーンの長さ≧第１ボーンであるものが存在する。【選択図】図１
2019107219.tif 000002
【特許請求の範囲】
【請求項１】
本体ベルト（２）と、この本体ベルト（２）の上面に設けられ、前記本体ベルト（２）への締めつけ具合を調整する補助ベルト（３、４）からなる腰部サポータ（１）において、
前記本体ベルト（２）は、
この本体ベルト（２）の中央部付近に、縦方向に延びる第１ボーン（２５、２６）を有し、
前記第１ボーン（２５、２６）の外側左右に縦方向に延びる第２ボーン（２７、２８）を有し、
前記第１ボーン（２５、２６）と前記第２ボーン（２７、２８）の長さの関係が「前記第２ボーン（２７、２８）≧前記第１ボーン（２５、２６）」であるものが存在する
ことを特徴とする腰部サポータ（１）。
【請求項２】
前記第１ボーン（２５、２６）は腰椎に沿って配置され、平均的体格の大人の第３腰椎〜第５腰椎の範囲を支持し、前記第２ボーン（２７、２８）は第１腰椎〜仙腸関節までを支持する長さである請求項１記載の腰部サポータ。
【請求項３】
前記第１ボーン（２５、２６）が２本である請求項１又は２記載の腰部サポータ。
【請求項４】
前記第１ボーン（２５Ａ）が１本である請求項１又は２記載の腰部サポータ。
【請求項５】
前記第２ボーン（２７、２８）が前記第１ボーン（２５、２６）の外側左右に少なくとも１本ずつ計２本以上設けられている請求項１〜４のいずれかに記載の腰部サポータ。
【請求項６】
前記第２ボーン（２７、２８）の長さが前記第１ボーン（２５、２６）の長さよりも長いものである請求項１〜５のいずれかに記載の腰部サポータ。
【請求項７】
前記第２ボーン（２７、２８）の硬度が前記第１ボーン（２５、２６）の硬度よりも低いものである請求項１〜６のいずれかに記載の腰部サポータ。
【請求項８】
前記各補助ベルト（３、４）は前記第１ボーン（２５、２６）を押し付けるＹ字形生地部（３２、４２）を有し、前記各補助ベルト（３、４）のＹ字生地部（３２、４２）は、「Ｙ」字の上側「Ｖ」の部分で互いに交差している請求項１〜７のいずれかに記載の腰部サポータ。
【発明の詳細な説明】
【技術分野】
【０００１】
本発明は、腰部サポータ（「腰ベルト」ともいう）に関する。このサポータは、主として腰痛の防止・治療や骨盤矯正のために用いられるが、他にも体型・姿勢の矯正のためにも用いられる。
【背景技術】
【０００２】
腰部サポータは一般に幅の広い強伸縮性の素材で構成される。これを腰部に巻き付けることで腰部を引き締めて安定化させ、腰椎への負担を軽減して痛みを緩和させる。
【０００３】
しかし、締め付けが強すぎると血行が阻害され、却って症状を悪化させることもありうる。そこで、サポータに縦方向に延びるボーン（「ステー」ともいう）と呼ばれる補強部材を複数本取り付けることでベルトの締め過ぎを回避しつつ安定支持力を高めることが提案されている（例えば、下記特許文献１、２、３参照）。
【０００４】
特許文献１では７本、特許文献２では約１０本、特許文献３では４本のボーンが図示されている。各特許文献のボーンは中央のものが一番長く、その左右両端側に行くにしたがって左右対称的に短くなっている。特許文献３のボーンは中央の２本が長く、その左右外側の２本が短くなっている。
【先行技術文献】
【特許文献】
【０００５】
【特許文献１】特開２００２−２３８９３２
【特許文献２】特開平１０−１４９５９号
【特許文献３】特開２００４−２２９７８１
【発明の概要】
【発明が解決しようとする課題】
【０００６】
肋骨によりしっかり支持されていて動きが少ない胸部と比較すると、腰部は腰椎が前後の筋肉や軟部組織で支持されているだけであるために支持力が不十分であって、動きやすい。このことが腰痛症の要因の一つといわれている。
【０００７】
腰部の動きには、前後ならび側屈、回旋がある。これら全てにおいて、骨の連結により動きの制限がある中心部よりも軟部組織のみの外側の方が動きは大きい。
【０００８】
腰椎の動きは主に第３腰椎〜第５腰椎で起こるので、腰椎に沿って配置するボーンはこの範囲を支持できる長さが適当である。それに対して、動きが大きい腰部外側は中央部よりも幅広な固定が必要であり、これを固定するボーンは第１腰椎〜仙腸関節まで支持できる長さが適当である。
【０００９】
しかし、前記各特許文献のボーンは中央部のボーンの長さが外側のボーンの長さよりも長いものであるので、この問題に十分応えていない。
【００１０】
本発明は、主として特許文献３のボーンを改良したもので、腰痛の改善効果等に優れた腰部サポータを提供することを目的とする。
【課題を解決するための手段】
【００１１】
本発明は、本体ベルトと、この本体ベルトの上面に設けられ、本体ベルトへの締めつけ具合を調整する補助ベルトからなる腰部サポータである。前記本体ベルトは、この本体ベルトの中央部付近に、縦方向に延びる第１ボーンを有し、前記第１ボーンの外側左右に縦方向に延びる第２ボーンを有する。これら２種類のボーンの長さの関係は、「第２ボーン≧第１ボーン」であるものが存在することを特徴とする（請求項１）。
【００１２】
好ましくは、第１ボーンは腰椎に沿って配置され、平均的体格の大人の第３腰椎〜第５腰椎の範囲を支持し、第２ボーンは第１腰椎〜仙腸関節までを支持する長さを有する（請求項２）。
【００１３】
第１ボーンは２本でもよいし（請求項３）、１本であってもよい（請求項４）。ここで、「１本」というときは１枚の幅広の板状のものを含む。
【００１４】
第２ボーンは第１ボーンの外側左右に少なくとも１本ずつ計２本以上である（請求項５）。腰部サポータは左右両端に行くにしたがって高さが狭くなるのが一般的であるので、第２ボーンが３本以上あるとき、第２ボーンの長さ≧第１ボーンの長さとならないものがあってもよい。
【００１５】
好ましくは、第２ボーンの長さは第１ボーンの長さよりも長いものである（請求項６）。また、第２ボーンの硬度は前記第１ボーンの硬度よりも低いものである（請求項７）
【００１６】
補助ベルトは第１ボーンを押し付けるＹ字形の生地部を有し、前記各補助ベルトの各Ｙ字生地部は、「Ｙ」字の上側「Ｖ」の部分で互いに交差している（請求項８）。
【発明の効果】
【００１７】
本発明請求項１では、第２ボーンと第１ボーンの長さの関係が、「第２ボーン≧第１ボーン」であるので、動きの制限がある中心部よりも動きが大きい軟部組織のみの外側をより安定的に支持する。その結果、腰痛の防止・治療や骨盤矯正に対して効果が大である。
【００１８】
本発明請求項２では、腰椎に沿って配置する第１ボーンは、第３腰椎〜第５腰椎の範囲を支持する一方、動きが大きい腰部外側においては、第２ボーンが第１腰椎〜仙腸関節までを支持するので、その効果はさらに高まる。
【図面の簡単な説明】
【００１９】
【図１】本発明の第1実施例に係る腰部サポータを人体側から見た正面図である。
【図２】同背面図である。
【図３】図１のＡ−Ａ線及びＢ−Ｂ線が囲まれた範囲の拡大正面図である。
【図４】図２のＣ−Ｃ線及びＤ−Ｄ線が囲まれた範囲の拡大背面図である。
【図５】図３のＥ−Ｅ断面図である。
【図６】（ａ）〜（ｄ）は腰部サポータの装着順序を示す、人体の正面側から見た斜視図である。
【図７】本発明の第２実施例に係る腰部サポータを人体側から見た正面図である。
【発明を実施するための形態】
【００２０】
以下、添付の図面に基づいて、本発明の実施例を説明する。
【実施例１】
【００２１】
図１及び図２、それらの部分拡大図である図３、図４に示すように、本実施例の腰部ベルトは、１本の本体ベルト２と、左右の補助ベルト３、４からなる。この実施例では、本体ベルト２は長さ約９５ｃｍ、高さは最も高い部分で約２０ｃｍである。
【００２２】
本体ベルト２は、性質の異なるメッシュ素材２１、２２からなる本体部が設けられ、この本体部の左右両側に面ファスナ２３、２４がそれぞれ設けられている。メッシュ素材２１は縦横方向に伸縮性を有し、メッシュ素材２２は横方向のみに伸縮性を有するものを使用している。
【００２３】
本体ベルト２の中央部付近には、縦方向に延びる一対のほぼ等しい長さのボーン（以下、「第１ボーン２５、２６」と呼ぶ）が取り付けられている。取付けは袋状の縫製部に挿入される形で行われる。
【００２４】
第１ボーン２５、２６は腰椎に沿って左右1本ずつ配置する。最も保護が必要である腰椎の前弯に対して第１ボーン２５、２６全体を身体に押し当てることが望ましく、支持力を高めるためにやや硬いものがよい。
【００２５】
第１ボーン２５、２６の外側に、縦方向に一対のほぼ等しい長さのボーン（以下、「第２ボーン２７、２８」と呼ぶ）が取り付けられている。取付けは袋状の縫製部に挿入される形で行われる。
【００２６】
第２ボーン２７、２８は体幹外側に位置するため、ウエストラインにフィットしやすく腰部の動きに追従し易いことが望ましく、やや柔らかいものがよい。
【００２７】
本実施例の特徴は、第２ボーン２７、２８と第１ボーン２５、２６の長さの関係が、「第２ボーン≧第１ボーン」であることである。第２ボーン２７、２８は体幹の外側に位置し、動きが大きい場所であるため、第１ボーン２５、２６よりも長いことが好ましく、１〜２倍、より好ましくは１〜１．５倍までの範囲で長くする。なお、第２ボーン２７、２８と第１ボーンを同じ長さとする場合は、第２ボーン２７、２８の長さを基準とする。
【００２８】
この構成により、腰椎に沿って配置する第１ボーン２５、２６は、第３腰椎〜第５腰椎の範囲をする一方、動きが大きい腰部外側においては、第２ボーン２７、２８が第１腰椎〜仙腸関節までを支持することができる。
【００２９】
各ボーン２５、２６、２７、２８の素材は、金属製（アルミ、スチール等）又は非金属製（ＰＥＴ、ＰＰ等）のどちらでもよい。通常、金属製は身体の曲線に合わせて手で折り曲げて使用するが、非金属製であれば装着時の伸度によって屈曲させることが可能であり、本発明では非金属製のボーンの使用が望ましい。
【００３０】
第１ボーン２５、２６及び第２ボーン２７、２８の硬度は同じか、第２ボーン２７、２８のほうがより柔らかいものを使用することが好ましい。第１ボーンの適度な硬度は、フレックス25mmまで、第２ボーン２７、２８の適度な硬度は、フレックス40mmまでが望ましい。ここで「フレックス」というのは、片端を固定し、もう片端に荷重をかける「片持ち方式」で測定した値である。
【００３１】
補助ベルト３、４は本体ベルト２の上面に設けられている。補助ベルト３、４は、装着時に引っ張ることで硬度のある各ボーンを体幹に押し当てるだけの力がなければならない。
【００３２】
各補助ベルト３、４は、中央部に位置して第１ボーン２５、２６を押し付けるＹ字形の生地部３２、４２と、そのＹ字生地部３２、４２を引っ張る直線状の操作部３３、４３からなる。両者は連結リング３４、４４により接続されている。２本の補助ベルト３、４のＹ字生地部３２、４２は、「Ｙ」字の上側「Ｖ」の部分で互いに交差している。操作部３３、４３には、面ファスナ３１、３２が設けられている。
【００３３】
Ｙ字生地部３２、４２の伸縮性は、非伸縮〜２．０倍、好ましくは非伸縮〜１．３５倍であることが望ましい。Ｙ字生地部３２、４２を引っ張る操作部３３、４３は、伸度のある生地を効率よく引っ張るために非伸縮であることが好ましい。
【００３４】
この腰部サポータの取付方法は、この種の従来のものと同じである。図６（ａ）〜（ｄ）に示すように、本体ベルト２の面ファスナ２３、２４同士で腰部に装着固定し、補助ベルト３を引っ張って面ファスナ３１、４１同士を付着させることにより、本体ベルト２の締めつけ具合を調整する。
【実施例２】
【００３５】
図７は、本発明の第２実施例である。全体的に第１実施例によく似ているが、異なるのは第１ボーンが２本ではなく、１枚の幅広い板状であることである。幅の広さは調節できるので、１本の第１ボーン２５Ａとみなすことができる。その他の点については、第１実施例と同じ部分には第１実施例の符号に「Ａ」を付して説明を省略する。
【符号の説明】
【００３６】
１     腰部サポータ
２     本体ベルト
２１   メッシュ素材
２３、２４    面ファスナ
２５、２６；２５Ａ   第１ボーン
２７、２８    第２ボーン
２９   固定部
３     補助ベルト
３１   面ファスナ
３２   Ｙ字生地部
３３   操作部
３４   連結リング
４     補助ベルト
４１   面ファスナ
４２   Ｙ字生地部
４３   操作部
４４   連結リング
【図１】
2019107219.tif 000003
【図２】
2019107219.tif 000004
【図３】
2019107219.tif 000005
【図４】
2019107219.tif 000006
【図５】
2019107219.tif 000007
【図６】
2019107219.tif 000008
【図７】
2019107219.tif 000009